(57)【特許請求の範囲】
【請求項１】
建物の外方に突出した複数組の突出部と、各組の突出部に着脱自在でありバルコニーを構成する可動床架台とを具備し、
平面視において、前記可動床架台を取り外した状態の各組の突出部によって挟まれる空間が該突出部の先端側に向かって開放されていることを特徴とする取り外し式バルコニー付建物。
【請求項２】
各組の突出部の基端側には、バルコニーを構成する移動不能な固定床架台が設けられている請求項１に記載の取り外し式バルコニー付建物。
【請求項３】
前記可動床架台は前記突出部の上面に載置されるものであり、前記突出部の上面には、前記可動床架台が係合する係合部が設けられている請求項１または２に記載の取り外し式バルコニー付建物。
【請求項４】
前記各組の突出部には二本の梁が間隔をおいて架設され、一方の梁は各組の突出部の基端部間に架設され、他方の梁は各組の突出部の中央部間に架設され、
さらに、前記二本の梁にわたって、また、前記他方の梁から各組の突出部にかけて、各々水平ブレースが設置されている請求項１〜３の何れか一項に記載の取り外し式バルコニー付建物。
【発明の詳細な説明】
【技術分野】
【０００１】
本発明は、例えば、クレーン等の揚重機による大型機器等の搬出入に利用可能なバルコニーの取り外しが可能となっている建物に関する。
【背景技術】
【０００２】
例えば冷凍倉庫等の生産施設では、地上から所定階に大型機器を搬入する際、大型機器をクレーンにより吊り上げ、所定階のバルコニーに降ろし、そこから室内へ運び入れるという方法をとるのが現在の主流である。そして、このようにクレーン及びバルコニーを利用する点は、搬出の場合も同様である。
【先行技術文献】
【特許文献】
【０００３】
【特許文献１】特開２００４−１４３６７７号公報
【発明の概要】
【発明が解決しようとする課題】
【０００４】
ところで、各階のバルコニーが相互に直上・直下に位置していると、搬入のためにクレーンで吊り上げた大型機器を所定階のバルコニーに降ろそうとしたときに、その所定階よりも上方にあるバルコニーにクレーンのワイヤロープ等が干渉し、搬入が不可能となり得る。そこで、このような干渉を避けるために、各階のバルコニーの位置を平面的にずらしておくことが考えられるが、そうするとバルコニーの配置が制約され、建物設計の自由度が損なわれる可能性がある。
【０００５】
この点、建物の外面に沿って昇降する昇降台等を設ければ（例えば特許文献１）、ワイヤロープ等とバルコニーの干渉の問題を解決することはできる。しかし、大型機器等の搬出入は、頻繁に行われるものではない（例えば１０年に１回程度である）のが通常であり、搬出入ごとに斯かる昇降台等の設置と撤去を繰り返すのは経済的合理性に乏しく、また、常設にすると、普段の通行や業務等の妨げになる可能性がある上、野晒しにされていることにより錆び付くなどして必要なときに使用できない恐れもある。
【０００６】
本発明は上述の事柄に留意してなされたもので、その目的は、実施頻度が少ない大型機器等の搬出入に関するイニシャルコスト・ランニングコストの大幅な削減を期待することができると共に、バルコニーの設置条件の制約が緩和され、建物設計の自由度の向上を図ることも可能な取り外し式バルコニー付建物を提供することにある。
【課題を解決するための手段】
【０００７】
上記目的を達成するために、本発明に係る取り外し式バルコニー付建物は、建物の外方に突出した複数組の突出部と、各組の突出部に着脱自在でありバルコニーを構成する可動床架台とを具備し、平面視において、前記可動床架台を取り外した状態の各組の突出部によって挟まれる空間が該突出部の先端側に向かって開放されている（請求項１）。
【０００８】
上記取り外し式バルコニー付建物において、各組の突出部の基端側には、バルコニーを構成する移動不能な固定床架台が設けられていてもよい（請求項２）。
【０００９】
上記取り外し式バルコニー付建物において、前記可動床架台は前記突出部の上面に載置されるものであり、前記突出部の上面には、前記可動床架台が係合する係合部が設けられていてもよい（請求項３）。
上記取り外し式バルコニー付建物において、前記各組の突出部には二本の梁が間隔をおいて架設され、一方の梁は各組の突出部の基端部間に架設され、他方の梁は各組の突出部の中央部間に架設され、さらに、前記二本の梁にわたって、また、前記他方の梁から各組の突出部にかけて、各々水平ブレースが設置されていてもよい（請求項４）。
【発明の効果】
【００１０】
本願発明では、実施頻度が少ない大型機器等の搬出入に関するイニシャルコスト・ランニングコストの大幅な削減を期待することができると共に、バルコニーの設置条件の制約が緩和され、建物設計の自由度の向上を図ることも可能な取り外し式バルコニー付建物が得られる。
【００１１】
すなわち、本願の各請求項に係る発明の取り外し式バルコニー付建物では、揚重機を用いた可動床架台の吊り上げ・吊り下ろしにより、任意の階の突出部に可動床架台を載置することで、バルコニーの移動・構築を簡便に行うことができるのであり、この際、熟練を要するような特殊な技術等は不要である。
【００１２】
しかも、任意の階にのみバルコニーを構築するようにすれば、任意の階のバルコニーを利用して大型機器等の搬入・搬出を行う際、その上方のバルコニーに揚重機のワイヤロープ等が干渉するということもなく、搬出入作業の安全性や利便性の向上を図ることが可能となると共に、バルコニーの設置条件の制約が緩和され、各階の間取りの共通化を図れる等、建物設計の自由度の向上を図ることもできる。
【００１３】
さらに、本発明の取り外し式バルコニー付建物に専用の揚重機や一時的に設ける昇降台等は不要であり、大型機器等の搬出入に通常用いられる一般的な揚重機が一台あれば可動床架台の移動にも利用可能であり、これにより、実施頻度が少ない大型機器等の搬出入に関するイニシャルコスト・ランニングコストの大幅な削減を期待することができ、本発明の取り外し式バルコニー付建物の利用者の通常業務等に与える影響も最小限に抑えることができる。
【００１４】
請求項２に係る発明の取り外し式バルコニー付建物では、固定床架台は可動床架台を載置する際の作業スペースとなり得る上、固定床架台を利用して非常用進入口を設けることも可能である。
【００１５】
請求項３に係る発明の取り外し式バルコニー付建物では、突出部の上面に載置した可動床架台のずれを防止することができ、また、突出部に可動床架台を載置するだけのため、可動床架台の着脱が容易となる。
【図面の簡単な説明】
【００１６】
【図１】本発明の一実施の形態に係る取り外し式バルコニー付建物の要部の構成を概略的に示す斜視図である。
【図２】（Ａ）は突出部の構成を概略的に示す平面図、（Ｂ）は固定床架台及び可動床架台の構成を概略的に示す平面図、（Ｃ）は突出部、固定床架台及び可動床架台の構成を概略的に示す側面図である。
【図３】（Ａ）及び（Ｂ）は、バルコニーを構築しない状態及び構築する状態の突出部の構成を概略的に示す側面図である。
【発明を実施するための形態】
【００１７】
本発明の実施の形態について図面を参照しながら以下に説明する。
【００１８】
本実施の形態に係る取り外し式バルコニー付建物（以下、本建物という）は、冷凍倉庫として用いられるものであり、図１には、２階にのみ搬出入用のバルコニーが構築されている状態を示してある。そして、このバルコニーを構成する可動床架台１は、建物の外方に突出した一組の突出部２の上面に載置されており（着脱自在であり）、揚重機（例えばクレーン）Ｃで可動床架台１を吊り上げ、任意の階の突出部２に載置すれば、その任意の階にバルコニーを構築することができる。
【００１９】
斯かる本建物の構成について詳述すると、まず、本建物の外壁には、相互に直上・直下に位置する複数（図示例では四つ）の搬出入口３が設けられ、搬出入口３は、図外のシャッターによって開閉可能とされている。
【００２０】
そして、各搬出入口３の下側からは、一組の突出部２が建物の外方に突出している。なお、本例の突出部２は、跳ね出した鉄骨梁（Ｈ形鋼）によって構成されている。
【００２１】
ここで、一組の突出部２には、補強等のため、図２（Ａ）に示すように、二本の梁４、５が間隔をおいて架設され、二本の梁４，５にわたって、また、梁５から各突出部２にかけて、各々水平ブレース６が設置されている。
【００２２】
そして、図１及び図２（Ｂ）に示すように、各組の突出部２の基端側には、バルコニーを構成する移動不能な固定床架台７が設けられている。本実施形態の固定床架台７は、図２（Ｂ）及び（Ｃ）に示すように、矩形状の板状体（例えば、鋼、ステンレス等の金属板）８の下面に複数本（図示例では３本）の筒状体（例えば、鋼、ステンレス等の金属製パイプであり、本例では角パイプ）９をその長手方向に沿わせて設けることによって構成され、適宜の手段により突出部２又は梁４，５に固定されている。
【００２３】
一方、図２（Ｂ）及び（Ｃ）に示すように、可動床架台１も、固定床架台７と同様に、矩形状の板状体（例えば、鋼、ステンレス等の金属板）１０の下面に複数本（図示例では３本）の筒状体（例えば、鋼、ステンレス等の金属製パイプであり、本例では角パイプ）１１をその長手方向に沿わせて設けることによって構成されているが、複数本の筒状体１１のうち、中央に位置する中央筒状体１１Ａの両端を、外側に位置する外側筒状体１１Ｂよりも短くしてある。これにより、可動床架台１を突出部２の上面に載置した際、筒状体１１Ａは一組の突出部２の上面に設けられている係合部（例えばフラットバーを立設してなるもの）１２間に嵌まり込み、係合した状態になるので、可動床架台１のその長手方向の移動は制限されることになる。
【００２４】
また、一組の突出部２は、二つの可動床架台１を並べて載置するように構成されており、突出部２の先端側に位置する可動床架台１は、突出部２の上面の先端部に設けられた係合部（例えばフラットバーを立設してなるもの）１３に係合するので、二つの可動床架台１のその幅方向の移動は制限されることになる。但し、係合部１２にも、二つの可動床架台１のその幅方向の移動を制限する機能があるので、係合部１３を省略してもよい。
【００２５】
以上の構成を有する本建物では、揚重機Ｃを用いた可動床架台１の吊り上げ・吊り下ろしにより、図３（Ａ）に示すように、バルコニーとして利用しない突出部２からは、可動床架台１を取り外し、図３（Ｂ）に示すように、バルコニーとして利用する突出部２に、可動床架台１を載置するようにすればよく、このようにして任意の階の突出部２に可動床架台１を載置することで、バルコニーの移動・構築を簡便に行うことができるのであり、この際、熟練を要するような特殊な技術等は不要である。
【００２６】
しかも、任意の階にのみバルコニーを構築するようにすれば、任意の階のバルコニーを利用して大型機器等の搬入・搬出を行う際、その上方のバルコニーに揚重機Ｃのワイヤロープ等が干渉するということもなく、搬出入作業の安全性や利便性の向上を図ることが可能となると共に、バルコニーの設置条件の制約が緩和され、各階の間取りの共通化を図れる等、建物設計の自由度の向上を図ることもできる。
【００２７】
さらに、本建物に専用の揚重機Ｃや一時的に設ける昇降台等は不要であり、大型機器等の搬出入に通常用いられる一般的な揚重機Ｃが一台あれば可動床架台１の移動にも利用可能であり、これにより、実施頻度が少ない大型機器等の搬出入に関するイニシャルコスト・ランニングコストの大幅な削減を期待することができ、本建物の利用者の通常業務等に与える影響も最小限に抑えることができる。
【００２８】
その上、搬出入口３及び固定床架台７を、非常用進入口として利用可能に構成することもできるのであり、この場合には、例えば固定床架台７の周辺に沿って手すりを設け、大型機器等の搬出入に邪魔になり得る箇所にある手すりについては着脱自在としておけばよい。
【００２９】
なお、本発明は、上記の実施の形態に何ら限定されず、本発明の要旨を逸脱しない範囲において種々に変形して実施し得ることは勿論である。例えば、以下のような変形例を挙げることができる。
【００３０】
本発明は、冷凍倉庫に限らず、他の生産施設等にも適用可能である。
【００３１】
一組の突出部２を３本以上としたり、梁５を無くしたりするなど、突出部２や梁４，５、水平部レース６等の構成は種々に変形可能である。但し、揚重機Ｃのワイヤロープに干渉しないように、例えば、平面視において突出部２に載置したときの可動床架台１の中央となる位置付近を避けるように突出部２等を構成してあることが望ましい。
【００３２】
本実施形態の可動床架台１は、突出部２に載置するのみであり、風によって吹き飛ばされることがないように十分な重量を付与しておく必要があるが、これに限らず、可動床架台１を突出部２等に適宜係合させて飛ばないようにしてあれば、軽量化を図ってもよい。
【００３３】
本実施形態の可動床架台１は、運搬性等を考慮して二枚組としているが、これに限らず、一枚組としてあっても三枚組以上としてあってもよい。
【００３４】
本実施形態では、移動不能な固定床架台７を設けてあり、固定床架台７は可動床架台１を載置する際の作業スペースとなる利点はあるが、これを設けていなくてもよい。
【００３５】
なお、上記変形例どうしを適宜組み合わせてもよいことはいうまでもない。
【符号の説明】
【００３６】
１    可動床架台
２    突出部
３    搬出入口
４    梁
５    梁
６    水平ブレース
７    固定床架台
８    板状体
９    筒状体
１０    板状体
１１    筒状体
１１Ａ  中央筒状体
１１Ｂ  外側筒状体
１２    係合部
１３    係合部
Ｃ    揚重機
【図１】
0006713798.tif 000002
【図２】
0006713798.tif 000003
【図３】
0006713798.tif 000004